(57)【要約】【課題】ロッド３１１によりボール弁（弁体）を移動して弁ポートを開閉する電磁弁において、プランジャ３１に対するロッド３１１の固定保持力が安定するとともに、ロッド３１１の先端の位置決め及び同心性を確保する。【解決手段】プランジャ３１をプランジャ本体３１Ａと円柱部３１Ｂとで構成する。ロッド３１１をロッド挿入孔３１ａの内径に整合する外径のステンレス製の棒部材とする。ロッド３１１をロッド挿入孔３１ａ内に最奥まで突き当てるように挿入する。プランジャ３１のロッド挿入孔３１ａの開口部側の端面３１Ｂ１において、軸線Ｌを中心とする円周Ｓ１上の均等な位置にある３箇所をかしめる。【選択図】図２
2017129171.tif 000002
【特許請求の範囲】
【請求項１】
電磁駆動部のプランジャにロッドを備えるとともに、流体を流す弁ポートの片側に弁体を備え、前記ロッドが前記弁ポートを通して前記弁体に当接され、前記プランジャと共に前記ロッドを該プランジャの軸線方向に移動して前記弁体を移動し、前記弁ポートを開閉する電磁弁であって、
前記プランジャの前記軸線上にロッド挿入孔が形成されるとともに、該ロッド挿入孔に前記ロッドが挿入され、前記プランジャの前記軸線を中心とする円周上をかしめ固定されて当該プランジャに凹溝が設けられていることを特徴とする電磁弁。
【請求項２】
前記プランジャの前記ロッド挿入孔の開口部側の端面における前記円周上に前記凹溝が設けられていることを特徴とする請求項１に記載の電磁弁。
【請求項３】
前記プランジャは前記軸線を中心とする円柱部を有し、該円柱部の外周の前記円周上に前記凹溝が設けられていることを特徴とする請求項１に記載の電磁弁。
【請求項４】
前記凹溝が複数個設けられていることを特徴とする請求項２または３に記載の電磁弁。
【請求項５】
前記凹溝が奇数個設けられていることを特徴とする請求項４に記載の電磁弁。
【請求項６】
前記軸線を中心とする前記円周上の円周回りの均等な位置をかしめ固定されていることを特徴とする請求項１乃至５のいずれか一項に記載の電磁弁。
【請求項７】
前記円周上の全周に前記凹溝が設けられていることを特徴とする請求項２または３に記載の電磁弁。
【請求項８】
前記ロッドの前記ロッド挿入孔内に挿入される部分の外周に括れ部を有し、前記プランジャの前記括れ部の外側の前記円周上に前記凹溝が設けられていることを特徴とする請求項３に記載の電磁弁。
【請求項９】
電磁駆動部のプランジャにロッドを備えるとともに、流体を流す弁ポートの片側に弁体を備え、前記ロッドが前記弁ポートを通して前記弁体に当接され、前記プランジャと共に前記ロッドを該プランジャの軸線方向に移動して前記弁体を移動し、前記弁ポートを開閉する電磁弁であって、
前記プランジャの前記軸線上にロッド挿入孔が形成されるとともに、前記ロッドは拡径部を有し、前記拡径部が前記ロッド挿入孔に挿入された状態で、前記プランジャの前記ロッド挿入孔の開口端部のリムが前記軸線に向かってかしめられていることを特徴とする電磁弁。
【発明の詳細な説明】
【技術分野】
【０００１】
本発明は、例えば電磁コイルへの通電により弁閉状態、非通電により弁開状態となる電磁弁に関する。
【背景技術】
【０００２】
従来、この種の電磁弁は通電閉型電磁弁であり、例えば実公平８−５４３１号公報（特許文献１）に開示されたものがある。図９は特許文献１の第２図に開示された従来の通電閉型電磁弁を示す図であり、この通電閉型電磁弁は、例えば家庭用冷凍冷蔵庫において、急冷が必要なときに主冷却器への冷媒供給を遮断して急速冷却器のみに全冷媒を供給するものであり、必要なときにのみ通電して閉止できる小型のものである。
【０００３】
そして、この電磁弁は、弁本体ａに弁室ａ１とプランジャ室ａ２が切削加工等により形成され、このプランジャ室ａ２から電磁駆動部ｂ側に延びる円筒状のプランジャチューブａ３が弁本体ａと一体に形成されている。プランジャチューブａ３内には電磁駆動部ｂのプランジャｂ１が挿通されるとともにプランジャチューブａ３の端部に吸引子ｂ２が固定されている。また、弁本体ａには、弁室ａ１とプランジャ室ａ２との間に弁座ａ４及び弁ポートａ５が形成されている。弁室ａ１内には「弁体」としてのボール弁ｃが配置されている。
【０００４】
さらに、ボール弁ｃは盲栓ｄに形成された円筒状のガイドｄ１内に弁ばねｅと共に配置され、盲栓ｄを弁室ａ１（弁本体ａ）の端部に螺合して弁室ａ１を封止している。弁ポートａ５は弁室ａ１とプランジャ室ａ２とを連通する構造であり、プランジャｂ１の端部にはロッド挿入孔ｂ１１内に挿入されたロッドｂ３が取り付けられている。そして、このロッドｂ３が弁ポートａ５内を通してボール弁ｃに当接されている。さらに、弁本体ａには、弁室ａ１に連通する一次側継手ｆと、プランジャ室ａ２に連通する二次側継手ｇが取り付けられている。
【０００５】
すなわち、一次側継手ｆから弁室ａ１に入った流体が弁ポートａ５を通って二次側継手ｇへ向うように構成されており、電磁駆動部ｂの電磁コイルｂ４に通電するとプランジャｂ１が吸引子ｂ２に吸引されて引き上げられ、ボール弁ｃは弁ばねｅに押し上げられて弁座ａ４の弁ポートａ５を閉止するようになっている。また、電磁コイルｂ４を非通電にすると、コイルばねｂ５のばね力によりプランジャｂ１が吸引子ｂ２から離間して、ロッドｂ３がボール弁ｃを移動し、弁ポートａ５が開となる。
【先行技術文献】
【特許文献】
【０００６】
【特許文献１】実公平８−５４３１号公報
【発明の概要】
【発明が解決しようとする課題】
【０００７】
従来の電磁弁では、プランジャｂ１に対してロッドｂ３を取り付ける際に、プランジャｂ１に形成したロッド挿入孔ｂ１１内にロッドｂ３を圧入するようにしている。このため、ロッド挿入孔ｂ１１の内径とロッドｂ３の径の組み合わせにより、ロッドｂ３の固定保持力や、プランジャｂ１に対するロッドｂ３の先端の位置、プランジャｂ１とロッドｂ３の同心性にばらつきが生じ、製品管理が困難になるという問題があった。
【０００８】
本発明は、電磁駆動部のプランジャにロッドを備え、このロッドが弁ポートを通して弁体に当接され、ロッドにより弁体を移動して弁ポートを開閉する電磁弁において、プランジャに対するロッドの固定保持力が安定するとともに、ロッドの先端の位置決め及び同心性を容易に確保できる電磁弁を提供することを課題とする。
【課題を解決するための手段】
【０００９】
請求項１の電磁弁は、電磁駆動部のプランジャにロッドを備えるとともに、流体を流す弁ポートの片側に弁体を備え、前記ロッドが前記弁ポートを通して前記弁体に当接され、前記プランジャと共に前記ロッドを該プランジャの軸線方向に移動して前記弁体を移動し、前記弁ポートを開閉する電磁弁であって、前記プランジャの前記軸線上にロッド挿入孔が形成されるとともに、該ロッド挿入孔に前記ロッドが挿入され、前記プランジャの前記軸線を中心とする円周上をかしめ固定されて当該プランジャに凹溝が設けられていることを特徴とする。
【００１０】
請求項２の電磁弁は、請求項１に記載の電磁弁であって、前記プランジャの前記ロッド挿入孔の開口部側の端面における前記円周上に前記凹溝が設けられていることを特徴とする。
【００１１】
請求項３の電磁弁は、請求項１に記載の電磁弁であって、前記プランジャは前記軸線を中心とする円柱部を有し、該円柱部の外周の前記円周上に前記凹溝が設けられていることを特徴とする。
【００１２】
請求項４の電磁弁は、請求項２または３に記載の電磁弁であって、前記凹溝が複数個設けられていることを特徴とする。
【００１３】
請求項５の電磁弁は、請求項４に記載の電磁弁であって、前記凹溝が奇数個設けられていることを特徴とする。
【００１４】
請求項６の電磁弁は、請求項１乃至５のいずれか一項に記載の電磁弁であって、前記軸線を中心とする前記円周上の円周回りの均等な位置をかしめ固定されていることを特徴とする。
【００１５】
請求項７の電磁弁は、請求項２または３に記載の電磁弁であって、前記円周上の全周に前記凹溝が設けられていることを特徴とする。
【００１６】
請求項８の電磁弁は、請求項３に記載の電磁弁であって、前記ロッドの前記ロッド挿入孔内に挿入される部分の外周に括れ部を有し、前記プランジャの前記括れ部の外側の前記円周上に前記凹溝が設けられていることを特徴とする。
【００１７】
請求項９の電磁弁は、電磁駆動部のプランジャにロッドを備えるとともに、流体を流す弁ポートの片側に弁体を備え、前記ロッドが前記弁ポートを通して前記弁体に当接され、前記プランジャと共に前記ロッドを該プランジャの軸線方向に移動して前記弁体を移動し、前記弁ポートを開閉する電磁弁であって、前記プランジャの前記軸線上にロッド挿入孔が形成されるとともに、前記ロッドは拡径部を有し、前記拡径部が前記ロッド挿入孔に挿入された状態で、前記プランジャの前記ロッド挿入孔の開口端部のリムが前記軸線に向かってかしめられていることを特徴とする。
【発明の効果】
【００１８】
請求項１乃至８の電磁弁によれば、プランジャの軸線上のロッド挿入孔にロッドが挿入され、プランジャの軸線を中心とする円周上をかしめ固定されて、この円周上に凹溝が設けられてロッドがプランジャに固定されている。したがって、ロッド回りでのプランジャのかしめ固定による塑性変形により応力が加えられ、ロッドが所定の力で保持される。また、例えばロッドをロッド挿入孔の底まで挿入した状態でかしめることができ、ロッド挿入孔の深さとロッドの長さの設定により、プランジャに対するロッドの端部の軸線方向の位置を正確に設定することができる。
【００１９】
請求項２の電磁弁によれば、プランジャのロッド挿入孔の開口部側の端面に凹溝が設けられているので、ロッドに対して近い位置をかしめ固定でき、ロッドに対する固定保持力、同心性を容易に調整できる。
【００２０】
請求項３の電磁弁によれば、請求項１の効果に加えて、プランジャの円柱部の外周に凹溝が設けられているので、ロッドの軸線に対して直交する方向の塑性変形の応力により、固定保持力を確実に加えることができる。
【００２１】
請求項４の電磁弁によれば、請求項２または３の効果に加えて、円周上の均等な位置の複数個の凹溝の塑性変形による応力が、各応力の偏りを相互に補完し合い、固定保持力、同心性が得られる。
【００２２】
請求項５の電磁弁によれば、請求項４の効果に加えて、円周上の均等な位置の奇数個の凹溝の塑性変形による応力が、各応力の偏りを相互に補完し合い、固定保持力、同心性が得られる。
【００２３】
請求項６の電磁弁によれば、請求項１乃至５のいずれか一項の効果に加えて、軸線を中心とする円周回りの均等な位置をかしめ固定されているので、プランジャとロッドの同心性を確保できる。
【００２４】
請求項７の電磁弁によれば、請求項２または３の効果に加えて、凹溝が円周上の全周に設けられているので、かしめの塑性変形による応力をロッドの回りに均等に加えることができるので、固定保持力、同心性が得られる。
【００２５】
請求項８の電磁弁によれば、請求項３の効果に加えて、プランジャの塑性変形した部分がロッドの括れ部に食い込むので、ロッドの抜けを防止することができる。
【００２６】
請求項９の電磁弁によれば、ロッド挿入孔の開口端部のリムをロッドの拡径部側にかしめるだけで、プランジャにロッドを固定できるので、当該電磁弁の組立作業が容易になる。
【図面の簡単な説明】
【００２７】
【図１】本発明の第１実施形態に係る通電閉型電磁弁の弁開状態の縦断面図である。
【図２】第１実施形態におけるプランジャとロッドの固定構造を示す図である。
【図３】第１実施形態におけるプランジャとロッドの固定構造の変形例１及び変形例２を示す図である。
【図４】本発明の第２実施形態に係る通電閉型電磁弁のプランジャとロッドの固定構造を示す図である。
【図５】本発明の第３実施形態に係る通電閉型電磁弁のプランジャとロッドの固定構造を示す図である。
【図６】本発明の第４実施形態に係る通電閉型電磁弁のプランジャとロッドの固定構造を示す図である。
【図７】参考例１及び２の通電閉型電磁弁のプランジャとロッドの固定構造を示す図である。
【図８】参考例３及び４の通電閉型電磁弁のプランジャとロッドの固定構造を示す図である。
【図９】従来の通電閉型電磁弁の一例を示す縦断面図である。
【発明を実施するための形態】
【００２８】
次に、本発明の電磁弁の実施形態を図面を参照して説明する。図１は第１実施形態に係る通電閉型電磁弁の弁開状態の縦断面図であり、この通電閉型電磁弁は本発明の電磁弁の一例である。なお、以下の説明における「上下」の概念は図１の図面における上下に対応する。
【００２９】
この実施形態に係る通電閉型電磁弁１０は真鍮等の金属製の弁本体１を有している。弁本体１には、弁室１１と、プランジャ室１２と、弁室１１とプランジャ室１２とに連通する挿通孔１３と、プランジャチューブ取付孔１４と、配管接続孔１５と、配管接続孔１６とが、切削加工により形成されている。また、弁本体１には、挿通孔１３を形成することにより弁室１１とプランジャ室１２との間に円環状の受け座部１７が形成されている。すなわち、受け座部１７は中心に挿通孔１３を有している。また、プランジャ室１２内には、受け座部１７よりも径の大きな軸線Ｌを中心とする円筒部１８を有している。このうち、弁室１１、プランジャ室１２、挿通孔１３、プランジャチューブ取付孔１４、配管接続孔１５、受け座部１７及び円筒部１８は、軸線Ｌを中心として同軸に形成されている。なお、軸線Ｌは、後述のプランジャ３１の中心を通る軸線でもある。
【００３０】
プランジャチューブ取付孔１４には、後述の電磁駆動部３のステンレス製の円筒状のプランジャチューブ３ａが取り付けられている。配管接続孔１５には矢印のように流体が流入する一次側継手１５ａが取り付けられ、配管接続孔１６には矢印のように流体が流出する二次側継手１６ａが取り付けられている。一次側継手１５ａは一次ポート１５ｂを介して弁室１１に連通され、二次側継手１６ａは二次ポート１６ｂを介してプランジャ室１２に連通されている。プランジャチューブ３ａ、一次側継手１５ａ及び二次側継手１６ａは、弁本体１に対して、それぞれプランジャ取付孔１４、配管接続孔１５、配管接続孔１６の開口端部の周囲において、ろう付けにより弁本体１に固着されている。
【００３１】
弁室１１内には、弁アッセンブリ２が収容されている。弁アッセンブリ２は、金属製で略円筒状のホルダ部２１と、「弁体」としての金属製のボール弁２２と、薄型円柱状の蓋部材２３と、弁ばね２４とで構成されている。ホルダ部２１は、中心に弁ポート２５を有する弁座部２１Ａと、ボール弁２２の外径に整合する内径を有する円筒状の弁ガイド部２１Ｂとを一体形成して構成されている。そして、弁ガイド部２１Ｂ内に弁ばね２４を介してボール弁２２が嵌め込まれ、弁ガイド部２１Ｂの端部から蓋部材２３を嵌め込み、この弁ガイド部２１Ｂの端部をかしめることにより、蓋部材２３が固定されている。なお、蓋部材２３は後述のように角柱の部材等でもよい。
【００３２】
これにより、弁アッセンブリ２において、ボール弁２２はホルダ部２１内に保持され、弁ガイド部２１Ｂにより軸線Ｌ方向にのみ移動するようにガイドされる。弁ガイド部２１Ｂの側部には、弁座部２１Ａ側に弁室１１と弁ポート２５とを連通する通路２１Ｂａが形成されている。また、弁ガイド部２１Ｂには、ボール弁２２の下に溜まる液体を弁室１１側に流すための流路２１Ｂｂが形成されている。前記蓋部材２３は薄型円柱状の形状であるが、同様な蓋部材は例えば六角柱や四角柱などの角柱の部材であってもよい。この場合、弁ガイド部２１Ｂの端部をかしめた後も、角柱の側面の部分により、前記流路２１Ｂｂと同様に、ボール弁２２の下に溜まる液体を弁室１１側に流すことができる。さらに、円柱状の部材の側面に液体を弁室１１側に流すための縦溝を設けたものでもよい。勿論これらの場合、流路２１Ｂｂはあってもなくてもよい。
【００３３】
弁座部２１Ａは、弁ガイド部２１Ｂから離れるにしたがって径が拡径するようなテーパ面２１Ａａを有している。さらに、弁本体１の円筒部１８の内周には雌ねじ部１８ａが形成され、弁座部２１Ａの外周にはこの雌ねじ部１８ａに螺合する雄ねじ部２１Ａｂが形成されている。これにより、弁ガイド部２１Ｂが挿通孔１３内に挿通されて弁座部２１Ａのテーパ面２１Ａａが受け座部１７の内側端部（挿通孔１３の開口端部）に当接され、雄ねじ部２１Ａｂを雌ねじ部１８ａに螺合してねじ込むことにより、弁本体１に固定されている。この弁座部２１Ａのテーパ面２１Ａａと受け座部１７の内側端部は、弁室１１とプランジャ室１２との間を封止する。受け座部１７とテーパ面２１Ａａとの間にシール部材を配設してもよい。なお、弁座部２１Ａの端部にはねじ込み時の治具を係合するマイナス溝２１Ａｃが形成されている。
【００３４】
電磁駆動部３において、プランジャチューブ３ａ内にはプランジャ３１が挿通され、このプランジャ３１は軸線Ｌ方向（上下方向）に摺動可能に配設されている。また、プランジャチューブ３ａの上端には吸引子３ｂが嵌合され、プランジャ３１と吸引子３ｂとの間にはプランジャ３１を吸引子３ｂから離間する方向に付勢するプランジャばね３ｃが配設されている。プランジャチューブ３ａの外周には、ボビン３ｄを介して電磁コイル３ｅが配設され、電磁コイル３ｅとボビン３ｄはその外周の樹脂３ｆによりモールドされている。さらに、ボビン３ｄ及び樹脂３ｆは外函３ｇと磁性ガイド３ｈとで覆われ、外函３ｇは上部をネジＮにより吸引子３ｂにねじ止めされている。外函３ｇの外には電磁コイル３ｅに通電するためのリード線３ｉが引き出されている。プランジャ３１、吸引子３ｂ、外函３ｇ及び磁性ガイド３ｈはそれぞれ磁性体からなる。吸引子３ｂはステンレス製のプランジャチューブ３ａに対して、図に符号「Ｐ」で示す接合部の全周を溶接することにより固着されている。これにより、プランジャチューブ３ａ内が気密に封止されている。
【００３５】
後述のように、プランジャ３１の弁アッセンブリ２側にはロッド挿入孔３１ａが形成され、このロッド挿入孔３１ａにおいてロッド３１１（丸棒）が取り付けられている。そして、ロッド３１１は弁座部２１Ａの弁ポート２５内に挿通され、このロッド３１１の端部がボール弁２２に当接されている。このプランジャ３１とロッド３１１の取り付け構造については、後述説明する。
【００３６】
図１は電磁駆動部３が非通電状態であり、プランジャ３１は、プランジャばね３ｃの付勢力とプランジャ３１の自重とによりロッド３１１でボール弁２２を下方に押しつけている。これによりボール弁２２が弁座部２１Ａから離間して弁ポート２５が弁開状態となっている。電磁駆動部３の電磁コイル３ｅに通電すると、プランジャ３１はプランジャばね３ｃの付勢力に抗して吸引子３ｂ側に吸着され、弁ばね２４の付勢力により、プランジャ３１及びロッド３１１と共にボール弁２２が上昇して弁座部２１Ａに着座し、弁ポート２５が弁閉状態となる。
【００３７】
図２は第１実施形態におけるプランジャとロッドの固定構造を示す図であり、図２（Ａ）はプランジャ及びロッドの一部縦断面図、図２（Ｂ）はプランジャ及びロッドの底面図である。図２に示すように、プランジャ３１は、プランジャチューブ３ａの内径に整合する径を有するプランジャ本体３１Ａと、プランジャ本体３１Ａより径の小さな円柱部３１Ｂとを一体に形成したものである。プランジャ本体３１Ａと円柱部３１Ｂは軸線Ｌを中心としている。円柱部３１Ｂの中心には軸線Ｌを中心とする円柱形のロッド挿入孔３１ａが形成されている。また、ロッド３１１は、ロッド挿入孔３１ａの内径に整合する外径のステンレス製の棒部材であり、このロッド３１１の両端は軸線Ｌに直交する平坦面となっている。ロッド３１１は、ロッド挿入孔３１ａ内に最奥まで突き当てるように挿入されている。そして、プランジャ３１の円柱部３１Ｂにおけるロッド挿入孔３１ａの開口部側の端面３１Ｂ１において、軸線Ｌを中心とする円周Ｓ１上の均等な位置にある３箇所をかしめたものである。
【００３８】
かしめにより形成された「凹溝」としてのかしめ部３１２は、図２（Ｂ）に示すように円弧状の形状をしており、ロッド挿入孔３１ａを囲う軸線Ｌを中心とする円周Ｓ１上で等間隔に３箇所形成されている。すなわち、かしめ部３１２においてプランジャ３１の母材がロッド挿入孔３１ａ側に塑性変形し、この塑性変形による応力がロッド３１１に加えられ、ロッド３１１がプランジャ３１に固定されている。なお、上記第１実施形態、後述の他の実施形態及び変形例のように、プランジャの一部をかしめてロッドを固定する処理は「かしめ固定」という処理の一例である。
【００３９】
このように、プランジャ３１のロッド挿入孔３１ａの開口部側の端面３１Ｂ１をかしめるようにしているので、ロッド３１１に対して近い位置をかしめることができる。したがって、ロッド３１１に対する固定保持力、同心性を容易に調整できる。このことは、以下の変形例１及び変形例２についても同様である。また、軸線Ｌを中心とする円周Ｓ１上の均等な３箇所がかしめられているので、３箇所での塑性変形による応力が、各応力の偏りを相互に補完し合い、固定保持力、同心性が得られる。このことは、以下の変形例２についても同様である。
【００４０】
図３はプランジャ３１とロッド３１１の固定構造の変形例１及び変形例２を示す図である。なお、以下の変形例１，２、第２乃至第４実施形態、及び参考例１乃至４においては、プランジャ及びロッドについてのみ説明するが、通電閉型電磁弁の全体の構成は図１に示す第１実施形態と同じである。また、第１実施形態と同じ要素及び対応する要素には同符号を付記し、これらの同符号を付記した要素は、同様な構造で同様な作用効果を奏するものであり、重複する説明は適宜省略する。
【００４１】
図３（Ａ）の変形例１は、軸線Ｌを中心とする円周Ｓ１上の全周をかしめたものであり、ロッド挿入孔３１ａを囲う円周Ｓ１上の全周に円形のかしめ部３１３が形成されている。このように、全周がかしめられているので、かしめの塑性変形による応力をロッド３１１の回りに均等に加えることができるので、固定保持力、同心性が得られる。図３（Ｂ）の変形例２は、円柱部３１Ｂの端面３１Ｂ１において、軸線Ｌを中心とする円周Ｓ１′上の均等な位置の３箇所をかしめたものであり、３角形状のかしめ部３１４が円周Ｓ１′上で等間隔に３箇所形成されている。
【００４２】
図４は、本発明の第２実施形態に係る通電閉型電磁弁のプランジャとロッドの固定構造を示す図である。図４（Ａ）はプランジャ及びロッドの一部縦断面図、図４（Ｂ）はプランジャ及びロッドの底面図である。この第２実施形態のプランジャ３２は、プランジャチューブ３ａの内径に整合する径を有するプランジャ本体３２Ａと、プランジャ本体３２Ａより径の小さな円柱部３２Ｂとを一体に形成したものであり、円柱部３２Ｂにロッド３２１を備えている。
【００４３】
そして、この第２実施形態では、ロールカシメ加工により、円柱部３２Ｂの外周の円周Ｓ２上をかしめるようにしたものである。これにより、円柱部３２Ｂの外周に全周に「凹溝」としての溝状のかしめ部３２２が形成されている。このように、プランジャ３２の円柱部３２Ｂの外周がかしめられているので、ロッド３２１に対して、軸線Ｌに対して直交する方向の塑性変形の応力により、固定保持力を確実に加えることができる。
【００４４】
図５は、本発明の第３実施形態に係る通電閉型電磁弁のプランジャとロッドの固定構造を示す図である。図５（Ａ）はプランジャ及びロッドの一部縦断面図、図５（Ｂ）はプランジャ及びロッドの底面図である。この第３実施形態のプランジャ３３は、プランジャチューブ３ａの内径に整合する径を有するプランジャ本体３３Ａと、プランジャ本体３３Ａより径の小さな円柱部３３Ｂとを一体に形成したものであり、円柱部３３Ｂにロッド３３１を備えている。この第３実施形態では、ロッド３３１の一部に括れ部３３１ａを有している。
【００４５】
そして、第２実施形態と同様に、ロールカシメ加工により、括れ部３３１ａの位置で、円柱部３３Ｂの外周の円周Ｓ３上をかしめるようにしたものである。これにより、円柱部３３Ｂの外周に全周に溝状のかしめ部３３２が形成されている。また、円柱部３３Ｂの塑性変形した部分（母材）が括れ部３３１ａに食い込んでいる。これにより、ロッド３３１の抜けを防止することができる。また、円柱部３３Ｂの外周がかしめられているので、ロッド３３１に対して、軸線Ｌに対して直交する方向の塑性変形の応力により、固定保持力を確実に加えることができる。
【００４６】
図６は、本発明の第４実施形態に係る通電閉型電磁弁のプランジャとロッドの固定構造を示す図である。図６（Ａ）はプランジャ及びロッドの一部縦断面図、図６（Ｂ）はプランジャ及びロッドの底面図である。この第４実施形態のプランジャ３４は、プランジャチューブ３ａの内径に整合する径を有するプランジャ本体３４Ａと、プランジャ本体３４Ａより径の小さな円柱部３４Ｂとを一体に形成したものであり、円柱部３４Ｂにロッド３４１を備えている。この第４実施形態のロッド３４１は径の大きな拡径部３４１ａを有している。また、プランジャ３４の円柱部３４Ｂは、拡径部３４１ａを挿入するロッド挿入孔３４ａと、このロッド挿入孔３４ａの開口端部にリム３４２を有している。拡径部３４１ａの軸線Ｌ方向の長さはロッド挿入孔３４ａの深さと同長である。
【００４７】
そして、この第４実施形態は、ロッド挿入孔３４ａにロッド３４１の拡径部３４１ａを挿入し、円柱部３４Ｂのリム３４２を拡径部３４１ａ側にかしめるようにしたものである。ロッド挿入孔３４ａの開口端部のリム３４２をロッド３４１の拡径部３４１ａ側にかしめるだけで、プランジャ３４にロッド３４１を固定できるので、通電閉型電磁弁の組立作業が容易になる。
【００４８】
図７は参考例１及び参考例２の通電閉型電磁弁のプランジャとロッドの固定構造を示す図である。図７（Ａ）の参考例１のプランジャ３５は、プランジャチューブ３ａの内径に整合する径を有するプランジャ本体３５Ａと、プランジャ本体３５Ａより径の小さな円柱部３５Ｂとを一体に形成したものであり、円柱部３５Ｂにロッド３５１を備えている。この参考例１のロッド３５１はロッド挿入孔３５ａ側の端部に羽根３５１ａを有している。また、ロッド挿入孔３５ａの最奥には平孔３５ａ１を有している。そして、この参考例１では、ロッド３５１をロッド挿入孔３５ａに圧入することで、羽根３５１ａを平孔３５ａ１内でかしめて拡張させ、ロッド３５１をプランジャ３５に固定したものである。
【００４９】
図７（Ｂ）の参考例２のプランジャ３６は、プランジャチューブ３ａの内径に整合する径を有するプランジャ本体３６Ａと、プランジャ本体３６Ａより径の小さな円柱部３６Ｂとを一体に形成したものであり、円柱部３６Ｂにロッド３６１を備えている。この参考例２では、ロッド３６１をロッド挿入孔３６ａに挿入し、円柱部３６Ｂの外周を圧縮することで、ロッド３６１をプランジャ３６に固定したものである。
【００５０】
図８は参考例３及び参考例４の通電閉型電磁弁のプランジャとロッドの固定構造を示す図である。図８（Ａ）の参考例３のプランジャ３７は、プランジャチューブ３ａの内径に整合する径を有するプランジャ本体３７Ａと、プランジャ本体３７Ａより径の小さな円柱部３７Ｂとを一体に形成したものであり、円柱部３７Ｂにロッド３７１を備えている。この参考例３では、ロッド３７１をロッド挿入孔３７ａに挿入し、このロッド挿入孔３７ａの開口周囲をろうつけすることで、ロッド３７１をプランジャ３７に固定したものである。
【００５１】
図８（Ｂ）の参考例４のプランジャ３８は、プランジャチューブ３ａの内径に整合する径を有するプランジャ本体３８Ａと、プランジャ本体３８Ａより径の小さな円柱部３８Ｂと、棒状のロッド３８１とを一体に形成したものである。そして、ロッド３８１の部分に表面処理を施して、ロッド３８１を硬化させたものである。
【００５２】
通電閉型電磁弁では、ボール弁を作動させるロッドを弁ポート内に挿通する構造となっており、ロッドは径の小さな棒状の部材である。また、ロッドは頻繁にボール弁を作動させるため、曲がり等が生じないように堅牢な部材であることが要求される。一方、プランジャは加工性を要求される。このため、各実施形態におけるプランジャは鉄製（軟鉄）であり、ロッドは硬質で寸法精度が得られやすい材料が望ましい。このような事情から、プランジャに対してロッドを固定する構造が必要となるが、これを前記各実施形態により容易に実現している。上記参考例４は、ロッド３８１をプランジャ３８として一体に形成することで、このロッド３８１の寸法精度を高め、さらに表面処理によりロッド３８１を硬化させたものである。
【００５３】
以上の実施形態及び変形例の組み合わせも本発明の実施形態である。例えば、第１実施形態及び第２変形例では、凹部を３個形成するようにしているが、２個でもよく、また、４個所以上の複数個でもよい。このうち、凹部は奇数個でもよい。また、これらの複数個の凹部は、第２実施形態、第３実施形態のように、プランジャの円柱部の外周に設けるようにしてもよい。
【００５４】
また、以上の実施形態では、弁体がボール弁である例について説明したが、弁体は弁座部に対して弁室側に配置されるものであれば、この弁体は他の形状でもよい。例えば、円柱状、端部にテーパ面を有するニードル弁等でもよい。
【００５５】
また、実施形態では弁アッセンブリ内に弁ばねを備えているので、低差圧でも弁閉状態を確実に保持できるとともに、圧力変化によるチャタリング等を防止できる。しかし、通電閉型電磁弁では一次側から流入する流体の圧力により弁体が弁ポートを弁閉状態とすることも可能であり、このような場合、弁ばねはなくてもよい。
【００５６】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
【符号の説明】
【００５７】
１          弁本体
１１        弁室
１２        プランジャ室
１５ａ      一次側継手
１６ａ      二次側継手
２          弁アッセンブリ
２１        ホルダ部
２２        ボール弁（弁体）
２３        蓋部材
２４        弁ばね
２５        弁ポート
３          電磁駆動部
３１        プランジャ
３１ａ      ロッド挿入孔
３１１      ロッド
３２        プランジャ
３２ａ      ロッド挿入孔
３２１      ロッド
３３        プランジャ
３３ａ      ロッド挿入孔
３３１      ロッド
３４        プランジャ
３４ａ      ロッド挿入孔
３４１      ロッド
１０        通電閉型電磁弁
【図１】
2017129171.tif 000003
【図２】
2017129171.tif 000004
【図３】
2017129171.tif 000005
【図４】
2017129171.tif 000006
【図５】
2017129171.tif 000007
【図６】
2017129171.tif 000008
【図７】
2017129171.tif 000009
【図８】
2017129171.tif 000010
【図９】
2017129171.tif 000011